(57)【要約】      （修正有）【課題】折り畳みでき、各部は分離されないで、分離した部品を再び組み立てる必要のない古新聞収納ラックを提供する。【解決手段】重ねた古新聞２３を収納する直方体の空間を有する。この空間の４つの側面内に各々Ｕ字状部分が位置する。このＵ字状部分９が互いに隣り合う上端同士は、平面Ｌ字状部分１１で連続する。Ｕ字状部分９の底部から一定の高さに、支持部材１９が設けられる。この支持部材１９は４つで、隣り合うＵ字状部分９の隣り合う縦辺に設けられ、互いに水平方向位置が離れ、重ねた古新聞２３の下面の四隅を支持し、この支持した状態の古新聞２３を紐で束ねる際の十字状の紐スペース２５を確保できる。平面Ｌ字状部分１１には上部ジョイント１３が設けられ、水平面内で回動可能に折り畳める。４つの側面内のうち向かい合う２つの側面に位置するＵ字状部分９の底部には、底部ジョイント１７が設けられ、水平面内で回動可能に折り畳める。支持部材１９は支持部ジョイント２９を介して取付けられ、垂直面内で回動可能に折り畳める。【選択図】図１
0003163127.tif 000002
【実用新案登録請求の範囲】
【請求項１】
重ねた古新聞を収納する直方体の空間の４つの側面内に各々位置するＵ字状部分と、前記４つＵ字状部分が互いに隣り合う上端同士を連続させる平面Ｌ字状部分と、前記Ｕ字状部分の底部から一定の高さで、隣り合う前記Ｕ字状部分の隣り合う縦辺に設けられ、互いに水平方向位置が離れ、重ねた古新聞の下面の四隅を支持し、この支持した状態の古新聞を紐で束ねる際の十字状の紐スペースを確保できる４つの支持部材と、前記平面Ｌ字状部分に設けられ水平面内で回動可能に折り畳める上部ジョイントと、前記４つの側面内のうち向かい合う２つの側面に位置するＵ字状部分の底部に設けられ水平面内で回動可能に折り畳める底部ジョイントと、支持部材の取付けを行ない垂直面内で回動可能に折り畳める支持部ジョイントと、を有することを特徴とする古新聞収納ラック。
【請求項２】
前記上部ジョイントは、折り畳みの形状が水平面内で外側に向かって山折りのみの形状になるように、１８０度の範囲内で回動可能であり、前記底部ジョイントは、折り畳みの形状が水平面内で外側に向かって谷折りのみの形状になるように、１８０度の範囲内で回動可能であり、前記支持部ジョイントは、支持部材が上方へのみ回動するように、９０度の範囲内で回動可能であることを特徴とする請求項１に記載の古新聞収納ラック。
【考案の詳細な説明】
【技術分野】
【０００１】
この考案は、古新聞や雑誌などを重ねた状態で紐で束ねることができる収納ラックの構造に関する。
【背景技術】
【０００２】
古新聞や雑誌などを重ねた状態で紐で束ねることができる収納ラックには、例えば下記特許文献１、２、３などが提案されている。これらの収納ラックは、重ねた古新聞を収納する直方体の空間を有し、重ねた古新聞の下面の四隅を支持し、この支持を行なう４つの支持部の間や側面に、古新聞を紐で束ねる際の紐の通り道を確保するために、十字状の紐スペースを形成する。これにより、重ねた古新聞を持上げたりしなくても、紐で十字に束ねることができる。
【先行技術文献】
【特許文献】
【０００３】
【特許文献１】特許公開平８−８５５１０
【特許文献２】登録実用新案第３０６７０１５号
【特許文献３】特開平０８−０５２９７４
【考案の概要】
【考案が解決しようとする課題】
【０００４】
しかしながら、上記特許文献１、２の収納ラックは、全体が固定され、折り畳みができず、このため使用しないときにも、置いておくための大きなスペースを必要とし、不便である。また、上記特許文献３の収納ラックは、全体が固定されず分解することができる。しかし、使用する際には、分解し分離した部品を再び組み立てねばならず、不便である。
【０００５】
この考案は、以上の問題点を解決するために、折り畳みでき、各部は分離されないので、分離した部品を再び組み立てる必要のない古新聞収納ラックを提供することを目的とする。
【課題を解決するための手段】
【０００６】
以上の課題を解決するために、第一考案は、重ねた古新聞を収納する直方体の空間の４つの側面内に各々位置するＵ字状部分と、前記４つＵ字状部分が互いに隣り合う上端同士を連続させる平面Ｌ字状部分と、前記Ｕ字状部分の底部から一定の高さで、隣り合う前記Ｕ字状部分の隣り合う縦辺に設けられ、互いに水平方向位置が離れ、重ねた古新聞の下面の四隅を支持し、この支持した状態の古新聞を紐で束ねる際の十字状の紐スペースを確保できる４つの支持部材と、前記平面Ｌ字状部分に設けられ水平面内で回動可能に折り畳める上部ジョイントと、前記４つの側面内のうち向かい合う２つの側面に位置するＵ字状部分の底部に設けられ水平面内で回動可能に折り畳める底部ジョイントと、支持部材の取付けを行ない垂直面内で回動可能に折り畳める支持部ジョイントと、を有することを特徴とする古新聞収納ラックである。
第二考案は、前記上部ジョイントは、折り畳みの形状が水平面内で外側に向かって山折りのみの形状になるように、１８０度の範囲内で回動可能であり、前記底部ジョイントは、折り畳みの形状が水平面内で外側に向かって谷折りのみの形状になるように、１８０度の範囲内で回動可能であり、前記支持部ジョイントは、支持部材が上方へのみ回動するように、９０度の範囲内で回動可能であることを特徴とする古新聞収納ラックである。
【考案の効果】
【０００７】
第一、又は第二考案によれば、古新聞収納ラックの本体を構成する４つのＵ字状部分は、互いに平面内で重なっておらず、シンプルな四角形を形成する。このシンプルさのために、上部ジョイントと底部ジョイントとで容易に本体を折り畳むことができ、直方体の空間を閉じることができる。このとき、支持部ジョイントで折り畳むことで、閉じた直方体の空間で支持部材が周囲部材と干渉しないようにでき、折り畳みを可能にする。
【０００８】
そして、４つのＵ字状部分や４つの支持部材は、折り畳みの前後で、分離されることはないので、上記特許文献３のように分離した部品を再び組み立てるなどの必要はない。
第二考案によれば、さらに、上部ジョイントは、折り畳みの形状が水平面内で外側に向かって山折りのみの形状になるように、１８０度の範囲内で回動可能であり、底部ジョイントは、折り畳みの形状が水平面内で外側に向かって谷折りのみの形状になるように、１８０度の範囲内で回動可能であり、よって、折り畳み動作の際に、動作の方向付けが容易であって、従って作業がし易い。また、折り畳んだ状態から使用状態へ展開するときには、展開した状態をロックしやすくなる。
【０００９】
さらに、支持部ジョイントは、支持部材が上方へのみ回動するように、９０度の範囲内で回動可能であり、よって、下方へは回動せず、従って重ねた古新聞の重さを受けた支持部材は、いわば自動的にロックされる。
これらのために、ロック機構が少なくて済むか、無くても済まされる。
【図面の簡単な説明】
【００１０】
【図１】この考案の一実施形態を示す古新聞収納ラックを上方から見た斜視図である。
【図２】図１の古新聞収納ラックを折り畳む途中の状態を、上方から見た斜視図である。
【図３】図２の古新聞収納ラックを完全に折り畳んだ状態を、上方から見た斜視図である。
【考案を実施するための形態】
【００１１】
この考案の一実施形態にかかる古新聞収納ラックを、図１〜図３に示す。
図１のように、この古新聞収納ラック１は、本体３が、細い金属パイプ５を屈曲して構成される。この屈曲は、本体３の全体が一筆書きのように連続して、行なわれる。本体３の中央には、重ねた古新聞を収納する直方体の空間７を有する。この空間７の４つの側面内に各々、金属パイプ５からなるＵ字状部分９が位置する。
【００１２】
このＵ字状部分９が互いに隣り合う上端同士は、平面Ｌ字状部分１１で連続する。平面Ｌ字状部分１１には上部ジョイント１３が設けられ、水平面内で回動可能に折り畳める。この上部ジョイント１３は、折り畳みの形状が、本体３中央から見て、水平面内で外側に向かって山折りのみの形状になるように、１８０度の範囲内で回動可能である。
【００１３】
４つの側面内のうち向かい合う２つの側面に位置するＵ字状部分９の底部１５には、底部ジョイント１７が設けられ、水平面内で回動可能に折り畳める。この底部ジョイント１７は、折り畳みの形状が、本体３中央から見て、水平面内で外側に向かって谷折りのみの形状になるように、１８０度の範囲内で回動可能である。
【００１４】
Ｕ字状部分９の底部１５から一定の高さに、支持部材１９が設けられる。この支持部材１９は４つで、それぞれ隣り合うＵ字状部分９の隣り合う縦辺２１に設けられる。４つの支持部材１９は、互いに水平方向位置が離れ、重ねた古新聞２３の下面の四隅を支持し、この支持した状態の古新聞２３を紐で束ねる際の十字状の紐スペース２５を確保できる。また、支持部材１９は、平面Ｌ字状部分１１と同じ水平方向位置に設けられる。
【００１５】
支持部材１９の構造は、角部が丸い略四角形の外枠を、細い金属パイプ５を屈曲して構成する。この略四角形の対向する長編の中央同士の中央を、帯状の金属板２７がつないで補強している。
支持部材１９は支持部ジョイント２９を介して取付けられ、垂直面内で回動可能に折り畳める。この支持部ジョイント２９は、支持部材１９が上方へのみ回動するように、９０度の範囲内で回動可能である。すなわち、下方への回動は、Ｕ字状部分９の縦辺２１に設けられたストッパー３０に、支持部材１９の回動する先端が係止して、規制される。この規制により、支持部材１９は水平状態を維持できる。
【００１６】
「実施形態の効果」
図１に示すように、古新聞収納ラック１の本体３の全体が一筆書きのように連続しているのみならず、この本体３を構成する４つのＵ字状部分９は、互いに平面内で重なっておらずシンプルな四角形を形成する。このシンプルさのために、上部ジョイント１３と底部ジョイント１７とで容易に本体３を折り畳むことができ（図２）、直方体の空間７を閉じることができる（図３）。
【００１７】
このとき、支持部材１９は支持部ジョイント２９で折り畳むことで、閉じた直方体の空間７で支持部材１９が周囲部材と干渉しないようにでき、折り畳みを可能にする。
そして、４つのＵ字状部分９や４つの支持部材１９は、折り畳みの前後で、分離されることはないので、上記特許文献３のように分離した部品を再び組み立てるなどの必要はない。すなわち、折り畳みと逆の順序（図３→図２→図１）で、そのまま容易に、使用状態へ展開することができる。
【００１８】
さらに、上部ジョイント１３は、折り畳みの形状が水平面内で外側に向かって山折りのみの形状になるように、１８０度の範囲内で回動可能であり、これに対応して、底部ジョイント１７は、折り畳みの形状が水平面内で外側に向かって谷折りのみの形状になるように、１８０度の範囲内で回動可能である。よって、折り畳み動作の際に、動作の方向付けが容易であって、従って折り畳み作業がし易い。また、折り畳んだ状態から使用状態へ展開するときには、限界まで展開すれば良く、いわば自動的に展開した状態をロックしやすくなる。これらのために、上部ジョイント１３や底部ジョイント１７は、ロック機構が少なくて済むか、無くても済まされる。
【００１９】
さらに、支持部ジョイント２９は、ストッパーの働きで、支持部材１９が上方へのみ回動するように、９０度の範囲内で回動可能であり、よって、下方へは回動せず、従って重ねた古新聞２３の重さを受けた支持部材１９は、いわば自動的にロックされる。
【００２０】
「他の実施形態」
以上の実施形態では、支持部材１９は、ストッパーの働きで、上方へのみ回動するように、９０度の範囲内で回動可能であったが、他の実施形態では、支持部材１９を取付ける支持部ジョイント２９の構成そのものを、上方へのみ回動するようにして９０度の範囲内で回動可能とすることもできる。これにより、Ｕ字状部分９の縦辺２１にストッパー３０を設ける必要が無くなる。
以上の実施形態では、古新聞収納ラック１は、円形断面の細い金属パイプ５を屈曲して構成されるものであったが、他の実施形態では、円形断面ではなく、他の断面形状、例えば四角形断面でも良い。さらに、金属パイプでなく、プラスチックパイプでも構わない。また、パイプでなくても、丸棒や四角棒などの線材でも構わない。
【符号の説明】
【００２１】
１…古新聞収納ラック、３…本体、５…金属パイプ、７…空間、９…Ｕ字状部分、１１…平面Ｌ字状部分、１３…上部ジョイント、１５…底部、１７…底部ジョイント、１９…支持部材、２１…縦辺、２３…古新聞、２５…紐スペース、２７…金属板、２９…支持部ジョイント、３０・・ストッパー。
【図１】
0003163127.tif 000003
【図２】
0003163127.tif 000004
【図３】
0003163127.tif 000005